(57)【特許請求の範囲】
【請求項１】
壁に埋め込まれるように配される映像表示機器の表面側を覆うように配されるカバー装置であって、
少なくとも前記映像表示機器の映像表示面に応じた部位が透明なカバー本体と、このカバー本体の上端部及び下端部のそれぞれを挟むように保持し、かつ壁側に設けられたカバー保持部材に保持される被保持部が設けられた上下の補強部材と、これら上下の補強部材を連結するように上下に延びるように設けられ、かつ上端部及び下端部が上下の補強部材のそれぞれに止具によって固定された連結部材と、を備えていることを特徴とするカバー装置。
【請求項２】
請求項１において、
前記カバー本体の四周端部には、不透明部が設けられており、
前記連結部材は、該カバー本体の両側端部の不透明部の背面側のそれぞれに位置するように対状に設けられていることを特徴とするカバー装置。
【請求項３】
請求項１または２に記載のカバー装置と、映像表示機器を受け入れる開口を区画し、壁に埋め込まれるように壁下地に固定される枠部材と、この枠部材に設けられ、前記映像表示機器を保持する機器保持部材と、該枠部材に設けられ、前記カバー装置を保持するカバー保持部材と、を備えていることを特徴とする映像表示機器取付装置。
【発明の詳細な説明】
【技術分野】
【０００１】
本発明は、映像表示機器の表面側を覆うように配されるカバー装置及びこれを備えた映像表示機器取付装置に関する。
【背景技術】
【０００２】
近年、テレビジョン受像機等の映像表示機器は、その薄型化に伴い、載置台等に置き設置される態様に代えて、壁に設置される設置態様が採用される場合がある。このような映像表示機器を壁に付設状に設置した場合には、圧迫感が生じるという問題があった。
例えば、下記特許文献１には、一対の柱状部材間に板状の保持部材を接続し、この保持部材に表示装置を嵌め込む開口部を設けた壁下地構造の前側を開閉可能に覆う下地ボードを設けた建築用壁材が開示されている。また、この建築用壁材は、下地ボードにおける表示装置の前方部位に、透明な窓部を設けた構成とされている。
【先行技術文献】
【特許文献】
【０００３】
【特許文献１】特開２００８−２０８７０６号公報
【発明の概要】
【発明が解決しようとする課題】
【０００４】
しかしながら、上記特許文献１に記載された建築用壁材では、表示装置の大型化に伴って窓部が大判化することが考えられ、このような窓部を、下地ボードに対して安定的に保持させるには、更なる改善が望まれる。
【０００５】
本発明は、上記実情に鑑みてなされたものであり、壁に埋込状に配される映像表示機器の表面側を見栄え良く覆いながらも、保持対象に安定的に保持され得るカバー装置及びこれを備えた映像表示機器取付装置を提供することを目的としている。
【課題を解決するための手段】
【０００６】
上記目的を達成するために、本発明に係るカバー装置は、壁に埋め込まれるように配される映像表示機器の表面側を覆うように配されるカバー装置であって、少なくとも前記映像表示機器の映像表示面に応じた部位が透明なカバー本体と、このカバー本体の上端部及び下端部のそれぞれを挟むように保持し、かつ壁側に設けられたカバー保持部材に保持される被保持部が設けられた上下の補強部材と、これら上下の補強部材を連結するように上下に延びるように設けられ、かつ上端部及び下端部が上下の補強部材のそれぞれに止具によって固定された連結部材と、を備えていることを特徴とする。
【０００７】
また、上記目的を達成するために、本発明に係る映像表示機器取付装置は、本発明に係るカバー装置と、映像表示機器を受け入れる開口を区画し、壁に埋め込まれるように壁下地に固定される枠部材と、この枠部材に設けられ、前記映像表示機器を保持する機器保持部材と、該枠部材に設けられ、前記カバー装置を保持するカバー保持部材と、を備えていることを特徴とする。
【発明の効果】
【０００８】
本発明に係るカバー装置及びこれを備えた映像表示機器取付装置は、上述のような構成としたことで、壁に埋込状に配される映像表示機器の表面側を見栄え良く覆うことができ、また、保持対象に安定的に保持されることができる。
【図面の簡単な説明】
【０００９】
【図１】（ａ）、（ｂ）は、本発明の一実施形態に係るカバー装置及びこれを備えた映像表示機器取付装置の一例を模式的に示し、（ａ）は、図７（ｂ）におけるＸ１−Ｘ１線矢視に対応させた一部省略概略縦断面図、（ｂ）は、（ａ）に対応させた一部破断概略拡大縦断面図である。
【図２】（ａ）は、図７（ｂ）におけるＹ−Ｙ線矢視に対応させた一部を省略した一部破断概略横断面図、（ｂ）は、（ａ）に対応させた一部破断概略拡大横断面図である。
【図３】同カバー装置を模式的に示す一部破断概略背面図である。
【図４】（ａ）は、図３におけるＸ２−Ｘ２線矢視に対応させた一部破断概略縦断面図、（ｂ）、（ｃ）は、同映像表示機器取付装置を模式的に示す一部破断概略斜視図である。
【図５】（ａ）、（ｂ）は、同映像表示機器取付装置の施工手順の一例を模式的に示す一部破断概略正面図である。
【図６】同施工手順の一例を模式的に示す一部破断概略正面図である。
【図７】（ａ）は、同施工手順の一例を模式的に示す一部破断概略正面図、（ｂ）は、同映像表示機器取付装置を施工した状態を模式的に示す一部を省略した一部破断概略正面図である。
【発明を実施するための形態】
【００１０】
以下に本発明の実施の形態について、図面に基づいて説明する。
なお、一部の図では、他図に付している詳細な符号の一部を省略している。
また、以下の実施形態では、設置された映像表示機器取付装置に取り付けられた映像表示機器に対面した状態を基準として、手前側を壁厚方向一方側、その逆側を壁厚方向他方側とし、また、その状態を基準として、上下方向等の方向を説明する。
【００１１】
図１〜図７は、本実施形態に係るカバー装置及びこれを備えた映像表示機器取付装置の一例を模式的に示す図である。
本実施形態に係るカバー装置３０は、図１及び図７に示すように、壁に埋め込まれるように配される映像表示機器９の表面側を覆うように配される。
本実施形態に係る映像表示機器取付装置１は、このカバー装置３０と、映像表示機器９を受け入れる開口１１を区画し、壁に埋め込まれるように壁下地２，３に固定される枠部材１０と、を備えている。また、映像表示機器取付装置１は、この枠部材１０に設けられ、映像表示機器９を保持する機器保持部材２０，２４と、枠部材１０に設けられ、カバー装置３０を保持するカバー保持部材２８，２９と、を備えている。
【００１２】
枠部材１０が固定される壁下地２，３は、間仕切壁の下地を構成し、図１、図２及び図５に示すように、枠部材１０が嵌め込まれる開口部を形成するように設けられている。
図例では、枠部材１０の壁幅方向両側が固定される一対の縦桟２，２と、これら一対の縦桟２，２間に配され、少なくとも壁厚方向一方側に向けて開口するように枠部材１０を受け入れる凹所４ａを設けた中間縦桟４と、を設けた壁下地構造としている。また、枠部材１０の上下両側が固定される一対の横桟３，３を、一対の縦桟２，２間に架け渡すように中間縦桟４の凹所４ａの上下両側の内側面のそれぞれに固定した構造としている。つまり、枠部材１０が嵌め込まれる開口部を、一対の縦桟２，２及び一対の横桟３，３によって区画した構造としている（図５（ａ）参照）。また、一対の縦桟２，２の上端部間及び下端部間にそれぞれ架け渡すように一対の外側横桟を設け、これら一対の外側横桟に中間縦桟４の上下両端部をそれぞれに固定した例を示している。
【００１３】
一対の縦桟２，２は、少なくとも壁厚方向一方側面に、壁厚方向一方側に配される壁下地ボード（一方側壁下地ボード）５が固定される構成とされ、壁厚方向一方側の間仕切壁下地を構成する。図例では、一対の縦桟２，２を、壁厚方向両側の間仕切壁下地を構成するものとしている。
一対の横桟３，３は、壁厚方向一方側面が、一対の縦桟２，２の壁厚方向一方側面と同一平面状となるように設けられている。なお、このような横桟３，３を設けないようにしてもよい。
【００１４】
中間縦桟４は、長手方向途中部位に、切欠状に凹所４ａを設けた構成とされている。この凹所４ａは、中間縦桟４の壁厚方向一方側部位を壁幅方向に貫通するように設けられ、側面視略矩形状とされている。この中間縦桟４は、凹所４ａが設けられた部位を除いた部位（凹所４ａの上下両側部位）の壁厚方向両側面に壁厚方向両側の壁下地ボード５，７がそれぞれに固定される構成とされ、壁厚方向両側の間仕切壁下地を構成する。なお、中間縦桟４としては、このような凹所４ａを設けた態様に代えて、一対の横桟３，３の上下両側に分断されたようなものとしてもよく、さらには、このような中間縦桟４を設けないようにしてもよい。また、枠部材１０が固定される壁下地２，３，４としては、上記のような態様に限られず、その他、種々の変形が可能である。
【００１５】
また、壁下地ボード５，７としては、一般的な壁下地ボードとしてもよく、例えば、石膏ボード（プラスターボード）やロックウールボード等の内装下地ボードとしてもよい。
また、映像表示機器９は、一般的なテレビジョン受像機や映像再生機器等としてもよく、その他、各種情報機器のディスプレイ（モニター）等としてもよい。また、映像表示機器９としては、液晶ディスプレイやプラズマディスプレイ、有機ＥＬディスプレイ等の薄型パネル状のディスプレイとしてもよい。このような映像表示機器９としては、画面サイズや外周寸法（縦寸法及び横寸法）が数種類に規格化されたものとしてもよい。
この映像表示機器９の背面側には、後記する機器保持部材２０，２４に保持される柱状体１９の固定部が設けられている。
【００１６】
枠部材１０は、図５（ｂ）及び図６に示すように、壁幅方向両側の縦枠部１７，１７と上下両側の横枠部１８，１８とを備え、壁厚方向に見て、略矩形枠状とされている。つまり、枠部材１０は、上下方向に向く面と壁幅方向に向く面とからなる四周の内周面によって開口１１を区画し、その内周面に、後記する機器保持部材２０，２４やカバー保持部材２８，２９が固定される構成とされている。この枠部材１０の開口１１の上下寸法及び壁幅方向に沿う寸法は、映像表示機器９の上下寸法及び壁幅方向に沿う寸法や、内周面に固定される機器保持部材２０，２４やカバー保持部材２８，２９の態様等に応じて、適宜、設定するようにしてもよい。
【００１７】
本実施形態では、この枠部材１０の内周表面側縁部に、後記するカバー装置３０のカバー本体３１の四周端部を受け入れる凹段部１２を全周に亘って設けている（図１及び図２も参照）。
この凹段部１２は、壁厚方向一方側及び開口１１の中心側（各枠部（縦枠部１７及び横枠部１８）の厚さ方向内方（開口１１）側）に向けて開口するように、枠部材１０の内周表面側縁部に切欠状に設けられている。つまり、凹段部１２は、壁厚方向一方側に向く段底面１３と開口１１の中心側に向く段壁面１５とによって区画されている。
この凹段部１２の壁厚方向に沿う寸法（段壁面１５の幅寸法）は、後記するカバー本体３１の四周端部の受け入れが可能なように、カバー本体３１の四周端部の壁厚方向に沿う寸法（厚さ寸法）に応じた寸法とされている。図例では、凹段部１２の壁厚方向に沿う寸法を、凹段部１２にカバー本体３１の四周端部を受け入れさせた状態で、カバー本体３１の表面と枠部材１０の壁厚方向一方側に向く面としての表面１６ａとが概ね同一平面状となるような寸法としている。また、凹段部１２の壁厚方向に沿う寸法を、後記するカバー本体３１の上下に設けられた補強部材３４，４０の上端部及び下端部の受け入れが可能な寸法としている。
【００１８】
また、この凹段部１２の枠部材１０の各枠部（縦枠部１７及び横枠部１８）の厚さ方向に沿う寸法（段底面１３の幅寸法）は、カバー本体３１の四周端部の受け入れが可能なように、また、見栄え上の観点等から適宜の寸法としてもよい。
また、図例では、この枠部材１０を囲むように配される一方側壁下地ボード５の表面５ａと枠部材１０の表面１６ａとが同一平面状となるように枠部材１０を設けている。また、この枠部材１０に突き合わせるように一方側壁下地ボード５を配し、これら枠部材１０及び一方側壁下地ボード５の表面１６ａ，５ａに表面化粧材６を貼着した例を示している。また、図例では、枠部材１０の凹段部１２の段壁面１５及び段底面１３にも一連状に表面化粧材６を貼着した例を示している。
【００１９】
また、本実施形態では、枠部材１０の外周縁部に、壁下地２，３に設けられた開口部に嵌め込まれる際に壁下地２，３の壁厚方向一方側に向く面としての表面に当接される鍔状部１６を設けている。
この鍔状部１６は、枠部材１０の外周縁部に全周に亘って設けられ、枠部材１０の外周縁部から各枠部１７，１８の厚さ方向外方（反開口）側に向けて突出するように設けられている。この鍔状部１６の突出方向先端面に、枠部材１０を囲むように配される一方側壁下地ボード５の端面が突き合わせられる構成とされている。
また、本実施形態では、この鍔状部１６の壁厚方向に沿う寸法を、一方側壁下地ボード５の厚さ寸法と略同寸法としている。つまり、この鍔状部１６の壁厚方向一方側に向く表面を含んだ表面１６ａが、一方側壁下地ボード５の表面５ａと同一平面状とされる枠部材１０の表面を構成する。なお、この鍔状部１６の突出寸法（各枠部１７，１８の厚さ方向に沿う寸法）は、位置決め性の観点等から適宜の寸法としてもよい。
【００２０】
また、図例では、枠部材１０の壁厚方向に沿う寸法を、枠部材１０の壁厚方向他方側端面が、中間縦桟４の凹所４ａの壁厚方向一方側に向く凹所底面に当接または近接するような寸法としている。
また、図例では、枠部材１０を、鍔状部１６を構成する額縁状部材と枠部材１０の内周面を構成する枠部材本体とを壁厚方向に組み付けた複数部材からなるものとしている。また、枠部材本体の外周表面側縁部に、Ｌ字状とされた額縁状部材の係合片部が差し入れられる切欠状の凹所を設けた構成としている。また、図例では、枠部材本体の壁厚方向一方側端面が凹段部１２の段底面１３を構成し、額縁状部材の内周面が凹段部１２の段壁面１５を構成するように、これらを設けた例を示している。なお、このような態様に代えて、鍔状部１６を構成する部位と枠部材１０の内周面を構成する部位とが一体的とされた枠部材１０としてもよい。また、図例では、枠部材１０の壁幅方向両側の縦枠部１７，１７と上下両側の横枠部１８，１８とを、それぞれに別体とされた部材を枠組みして形成されたものとしているが、これらが一体的に枠状に形成されたものとしてもよい。
【００２１】
なお、上記した各桟２，３，４や枠部材１０は、木質系材料から形成されたものとしてもよい。木質系材料としては、例えば、合板やＬＶＬ（単板積層材）等の木質積層板、パーティクルボード等の木質ボード、インシュレーションボードやＭＤＦ（中密度繊維板）等の木質繊維板などとしてもよい。また、このような態様に限られず、各桟２，３，４や枠部材１０は、合成樹脂系材料や金属系材料から形成されたものとしてもよい。また、上記した各桟２，３，４や枠部材１０は、映像表示機器９の外周寸法等に応じて、予め寸法調整がなされているものとしてもよく、または、適宜、施工現場等において長さ調整等がなされるものとしてもよい。
【００２２】
また、本実施形態では、映像表示機器取付装置１を、映像表示機器９の背面側に取り付けられる上下に長尺な柱状体１９を備えた構成としている。また、機器保持部材２０，２４を、枠部材１０の上下の内周面に固定される上側機器保持部材２０と下側機器保持部材２４とし、この柱状体１９の上下両端部を保持する構成としている。また、これら上下の機器保持部材２０，２４及び柱状体１９を、下側機器保持部材２４に対して柱状体１９の下端部が壁幅方向に沿う軸２６ｂ廻りに回動自在にかつ着脱自在に保持される一方、上側機器保持部材２０に対して柱状体１９の上端部が保持される構造としている。
【００２３】
柱状体１９は、図１及び図２に示すように、上端部に、上側機器保持部材２０に保持される被保持部１９ａが設けられ、下端部に、下側機器保持部材２４に係合保持される被係合部１９ｂを設けた構成とされている。
図例では、柱状体１９の上端部の被保持部１９ａを、止具挿通孔１９ａとしている。この止具挿通長孔１９ａは、柱状体１９の上端部を壁厚方向に貫通するように設けられている。また、柱状体１９の下端部の被係合部１９ｂを、下側機器保持部材２４に設けられた係合部としての係合軸２６ｂを受け入れるように設けられた軸受凹部１９ｂとしている。この軸受凹部１９ｂは、柱状体１９の下端部を壁幅方向に貫通するように、かつ下方に向けて開口するように設けられている。
【００２４】
この柱状体１９は、長さ寸法が映像表示機器９の上下寸法よりも大きい寸法とされている。
また、詳細な図示は省略しているが、柱状体１９の長手方向途中部位には、柱状体１９を映像表示機器９の背面側に固定する固定部が設けられている。このような固定部としては、映像表示機器９の背面側に設けられた受金具等の雌ねじ部にねじ合されるねじ等が挿通される挿通孔等としてもよい。
また、図２（ａ）及び図７（ａ）に示すように、映像表示機器９の背面側に、壁幅方向に間隔を空けて複数本（図例では、２本）の柱状体１９，１９を取り付けた例を示している。
【００２５】
上側機器保持部材２０は、図１（ｂ）に示すように、枠部材１０の下方側に向く内周面（上側の横枠部１８の下面）に固定される。本実施形態では、この上側機器保持部材２０を、枠部材１０に固定される固定部材２１と、この固定部材２１に対して上下方向に位置調整可能に固定され、柱状体１９の上端部を保持する保持部材２２と、を備えた構成としている。また、上側機器保持部材２０に、柱状体１９の上端部の止具挿通孔１９ａに挿通され、保持部材２２に対して壁厚方向に位置調整可能にねじ合される調整用ボルト２３を設けた構成としている。
【００２６】
固定部材２１は、枠部材１０の下方側に向く内周面に沿うように固定される固定片部と、この固定片部の壁厚方向他方側端部から垂れ下がるように設けられた垂下片部と、を備え、壁幅方向に見て、略Ｌ字状とされている。また、垂下片部には、調整用ボルト２３が挿通される挿通孔２１ａや、固定部材２１に対して保持部材２２を固定するねじがねじ合される雌ねじ孔等が設けられている。挿通孔２１ａは、固定部材２１に対して上下方向に位置調整される保持部材２２にねじ合される調整用ボルト２３の軸部の上下方向への移動を許容するように上下方向に長径の長孔とされている。
保持部材２２には、調整用ボルト２３がねじ合される雌ねじ孔２２ａや保持部材２２を固定部材２１に対して固定するねじが挿通される挿通孔等が設けられている。この保持部材２２の挿通孔は、固定部材２１に対する保持部材２２の固定位置を上下方向に調整可能なように、上下方向に長径とされている。なお、このように上下方向の位置調整が可能なように固定部材２１と保持部材２２とを別体とした態様に代えて、これらを一体としたようなものとしてもよい。
【００２７】
調整用ボルト２３は、ねじ操作される頭部が表面側となるように、その軸部が柱状体１９の上端部の止具挿通孔１９ａ、保持部材２２の雌ねじ孔２２ａ及び固定部材２１の挿通孔２１ａにこの順に挿通される。また、図例では、柱状体１９の上端部に対する調整用ボルト２３の壁厚方向への移動を抑制するナット部材を柱状体１９の上端部の背面側に設けた構成としている。
このような構成とされた上側機器保持部材２０は、調整用ボルト２３をねじ操作すれば、上側機器保持部材２０に対する柱状体１９の壁厚方向への位置調整が可能となる。なお、上側機器保持部材２０に対する柱状体１９の壁幅方向への位置調整を可能とした構成としてもよい。また、上側機器保持部材２０及びこれに保持される柱状体１９としては、このような態様に限られず、種々の変形が可能である。
【００２８】
下側機器保持部材２４は、図１及び図２に示すように、枠部材１０の上方側に向く内周面（下側の横枠部１８の上面）に固定される。本実施形態では、この下側機器保持部材２４を、枠部材１０に固定される固定部材２５と、この固定部材２５に対して壁厚方向に位置調整可能に固定され、柱状体１９の下端部を軸２６ｂ廻りに回動自在にかつ着脱自在に保持する保持部材２６と、を備えた構成としている。
固定部材２５は、枠部材１０の上方側に向く内周面に沿うように固定される固定片部と、この固定片部の壁厚方向一方側端部から立ち上がるように設けられた立上片部と、を備え、壁幅方向に見て、略Ｌ字状とされている。立上片部には、保持部材２６に対して壁厚方向に位置調整可能にねじ合される調整用ボルト２７が挿通される挿通孔２５ａが設けられている。また、この立上片部の背面側に、挿通孔２５ａに挿通された調整用ボルト２７の壁厚方向への移動を抑制するナット部材を設けた構成としている。
【００２９】
保持部材２６には、調整用ボルト２７がねじ合される雌ねじ孔２６ａと、柱状体１９の下端部の軸受凹部１９ｂに係合する係合軸２６ｂと、が設けられている。図例では、保持部材２６を、固定部材２５の固定片部上に載置される底板部と、この底板部の壁厚方向一方側端部から立ち上がるように設けられた前壁部と、底板部の壁幅方向両側端部から立ち上がるように設けられた両側壁部と、を備えた構成としている。この保持部材２６の前壁部に、雌ねじ孔２６ａを設けた構成としている。また、保持部材２６の両側壁部に架け渡すように係合軸２６ｂを設けた構成としている。
また、図例では、保持部材２６の両側壁部間の壁幅方向に沿う寸法を、柱状体１９の下端部の壁幅方向に沿う寸法よりも大きい寸法とし、下側機器保持部材２４に対する柱状体１９の壁幅方向への位置調整を可能としている。
このような構成とされた下側機器保持部材２４は、調整用ボルト２７をねじ操作すれば、下側機器保持部材２４に対する柱状体１９の壁厚方向への位置調整が可能となる。
【００３０】
なお、下側機器保持部材２４及びこれに保持される柱状体１９としては、このような態様に限られず、種々の変形が可能である。
また、上記した上下の機器保持部材２０，２４は、映像表示機器９の背面側に取り付けられた柱状体１９の個数及び壁幅方向に沿う位置に応じた位置となるように、枠部材１０の上下の内周面のそれぞれに固定される。つまり、図６に示すように、二組の上下の機器保持部材２０，２０，２４，２４を、枠部材１０の開口１１の壁幅方向中央から互いに等間隔を空けて設けた例を示している。なお、映像表示機器９を保持する機器保持部材２０，２４としては、上記したような態様に限られず、種々の変形が可能である。例えば、枠部材１０の内周面の上下に固定されるものとした態様に代えて、枠部材１０の内周面の壁幅方向に向く面に固定されるもの等としてもよい。
【００３１】
カバー装置３０は、図１〜図４及び図７に示すように、少なくとも映像表示機器９の映像表示面に応じた部位が透明なカバー本体３１と、このカバー本体３１の上端部及び下端部のそれぞれを挟むように保持する上下の補強部材３４，４０と、を備えている。また、カバー装置３０は、これら上下の補強部材３４，４０を連結するように上下に延びるように設けられた連結部材４２を備えている。
カバー本体３１は、厚さ方向を壁厚方向に沿わせて配される略矩形平板状とされ、壁幅方向及び上下方向に沿う寸法が、映像表示機器９の壁幅方向及び上下方向に沿う寸法よりも大きい寸法とされている。このカバー本体３１の壁幅方向及び上下方向に沿う寸法は、上下の補強部材３４，４０が取り付けられた状態におけるカバー本体３１の四周端面が枠部材１０の凹段部１２の四周の段壁面１５に近接して対面するように適宜の寸法とされている。
【００３２】
また、本実施形態では、図３及び図７（ｂ）に示すように、カバー本体３１の四周端部に、不透明部３３を設けている。
つまり、カバー本体３１の四周端部に沿って四周枠状に不透明部３３を設け、その内側を透明部３２としている。このカバー本体３１の透明部３２の壁幅方向及び上下方向に沿う寸法、並びに不透明部３３の幅寸法（枠部材１０の各枠部１７，１８の厚さ方向に沿う寸法）は、透明部３２を介して映像表示機器９の映像表示面が視認可能なように適宜の寸法としてもよい。図例では、不透明部３３の幅寸法を、映像表示機器９の四周端部と枠部材１０の内周面との隙間を遮蔽するように、凹段部１２の段底面１３の幅寸法よりも大きい寸法とした例を示している。
このカバー本体３１の少なくとも透明部３２は、アクリル樹脂やポリカーボネート樹脂等の透明の合成樹脂系材料や、透明のガラス材料等の透明材料から形成されたものとしてもよい。また、このカバー本体３１は、このような透明材料の四周端部に、不透明なシートを貼着したり、着色やエッチング等の表面処理を施したりすることで、不透明部３３を設けた構成とされたものとしてもよい。または、透明材料からなる透明部３２の四周に、額縁状に不透明材料から形成された不透明部３３を固定した構成とされたもの等としてもよい。また、このカバー本体３１の少なくとも透明部３２の厚さ方向一方面（例えば、壁厚方向一方側に向く表面）または両面を、反射防止フィルム（シート）の貼着や反射防止コーティング等の反射防止処理が施されたものとしてもよい。
【００３３】
上下の補強部材３４，４０は、図３及び図４（ａ）に示すように、壁幅方向に沿う方向に長尺状とされている。これら上下の補強部材３４，４０は、カバー本体３１の壁幅方向に沿う方向の概ね全体に亘って設けられている。図例では、これら上下の補強部材３４，４０の壁幅方向に沿う寸法を、カバー本体３１の壁幅方向に沿う寸法よりも僅かに小さい寸法とした例を示している。また、これら上下の補強部材３４，４０は、それぞれ全長に亘って一様な断面形状とされている。
また、これら上下の補強部材３４，４０には、壁側（本実施形態では、枠部材１０側）に設けられたカバー保持部材２８，２９に保持される被保持部３５，４１が設けられている。
【００３４】
上側補強部材３４は、カバー本体３１の上端部の背面に沿うように帯板状に設けられている。また、この上側補強部材３４の上端部には、カバー本体３１の上端部が嵌め入れられる係合凹溝３４ａを形成するように鉤状片部が設けられている。係合凹溝３４ａは、下方側に向けて開口するように、かつ上側補強部材３４の全長に亘って設けられている。
この上側補強部材３４におけるカバー本体３１の背面に沿う背面側部位の上下寸法（幅寸法）は、上記したカバー本体３１の不透明部３３の幅寸法よりも小さい寸法とされている。また、この上側補強部材３４における、カバー本体３１の上端表面側縁部に引っ掛けられるように設けられた鉤状片部の表面側片部の上下寸法（幅寸法）は、背面側部位の上下寸法よりも小さい寸法とされている。この鉤状片部の表面側片部の上下寸法は、カバー本体３１の上端部を安定的に保持する観点や見栄え上の観点等から適宜の寸法としてもよく、数ｍｍ〜数十ｍｍ程度としてもよい。
【００３５】
この上側補強部材３４に設けられた被保持部３５は、カバー本体３１の背面側に位置するように設けられている。この被保持部３５には、図４（ａ）、（ｂ）に示すように、枠部材１０に固定された上側カバー保持部材２８の係止部２８ａに着脱自在に係止する被係止部３７ａが設けられている。また、本実施形態では、カバー本体３１の上側の両隅のそれぞれに、被保持部３５，３５を設けた構成としている。つまり、上側補強部材３４の長手方向両端部のそれぞれに被保持部３５，３５を設けた構成としている。また、枠部材１０の上側の両隅のそれぞれに、上側カバー保持部材２８，２８を設けた構成としている（図６（参照））。
また、本実施形態では、これら被保持部３５，３５及び上側カバー保持部材２８，２８のうちの一方に、カバー本体３１の表面側から操作可能とされ、互いの係止を解除する解除操作部３７ｃ，３７ｃを設けた構成としている。また、枠部材１０の凹段部１２の段底面１３に、カバー本体３１の周縁部との隙間から差し入れられる適宜の治具によって操作される解除操作部３７ｃを受け入れる切欠状の凹所としての切欠状凹所１４を設けた構成としている。
【００３６】
切欠状凹所１４は、図１（ｂ）、図４（ｂ）及び図７（ｂ）に示すように、壁厚方向一方側及び下方側に向けて開口するように枠部材１０の内周面に設けられている。この切欠状凹所１４の壁幅方向、壁厚方向及び上下方向に沿う寸法は、解除操作部３７ｃの受け入れが可能で、かつこれらの解除操作を許容するように適宜の寸法としてもよい。図例では、切欠状凹所１４の上下方向に沿う寸法を、凹段部１２の段底面１３の幅寸法と同寸法とした例を示している。また、図例では、後記する上側カバー保持部材２８，２８に応じた位置となるように、枠部材１０の内周の上側の両隅のそれぞれに切欠状凹所１４，１４を設けた例を示している（図６及び図７（ａ）参照）。つまり、枠部材１０の上側の内周面の壁幅方向両側端部のそれぞれに、切欠状凹所１４，１４を設けた例を示している。
【００３７】
上側カバー保持部材２８，２８は、図４（ｂ）及び図６に示すように、枠部材１０の壁幅方向に向く内周面（各縦枠部１７，１７の対向面）にそれぞれ対向状に固定される。なお、これら上側カバー保持部材２８，２８及びこれらのそれぞれに保持される被保持部３５，３５は、互いに概ね同様の構成であるので、以下では、一方を例にとって説明する。
本実施形態では、この上側カバー保持部材２８を、壁幅方向に見て略矩形状とし、枠部材１０の壁幅方向に向く内周面に沿うように固定される薄板状としている。また、上側カバー保持部材２８には、係止部としての係止突片部２８ａが設けられている。この係止突片部２８ａは、上側カバー保持部材２８の上側半部の壁厚方向途中部位から壁幅方向に沿う方向に向けて突出するように設けられている。
また、本実施形態では、上側カバー保持部材２８に、カバー装置３０を仮保持する仮保持片部２８ｂを設けている。この仮保持片部２８ｂは、上側カバー保持部材２８の壁厚方向一方側端部の下端部から壁幅方向に沿う方向に向けて突出するように設けられている。
【００３８】
上側補強部材３４の被保持部３５は、図４（ａ）、（ｂ）に示すように、上側補強部材３４に固定されたベース部材３６と、このベース部材３６に対して壁幅方向に沿う軸３８廻りに回動自在に保持され被係止部３７ａを有したロック部材３７と、を備えている。
本実施形態では、ベース部材３６及びロック部材３７のそれぞれを、壁幅方向に厚さ方向を沿わせた薄板状とし、ベース部材３６の壁幅方向内方（枠部材１０の開口中心）側にロック部材３７を配した構成としている。
また、ベース部材３６の壁厚方向一方側端部とロック部材３７の壁厚方向一方側端部とを回動自在に連結するように壁幅方向に沿う軸となる連結軸３８を設けた構成としている。
また、被保持部３５は、ロック解除方向（係止解除方向）に回動されたロック部材３７を、ロック方向（係止方向）に付勢する付勢部材３９を備えている。
【００３９】
ベース部材３６は、カバー本体３１の背面から壁厚方向他方側に向けて突出するように設けられている。
本実施形態では、このベース部材３６の突出方向先端部となる壁厚方向他方側端部に、上側カバー保持部材２８の仮保持片部２８ｂに引っ掛けられるようにして仮保持される被仮保持片部３６ａを設けている。この被仮保持片部３６ａは、下方に向けて突出するように設けられている。また、被保持部３５を上側カバー保持部材２８に保持させる際に、被保持部３５の被係止部３７ａと上側カバー保持部材２８の係止突片部２８ａとが係止するよりも先に仮保持片部２８ｂに引っ掛けられるように、この被仮保持片部３６ａを設けている。また、被保持部３５を上側カバー保持部材２８に保持させる際に、この被仮保持片部３６ａよりも壁厚方向一方側部位となるベース部材３６の下端部が上側カバー保持部材２８の仮保持片部２８ｂに当接して載置されるようにして仮保持される構成とされている。このような構成とすれば、カバー本体３１を枠部材１０に対して着脱させる際におけるカバー本体３１の意図しない脱落等を抑制することができる。
また、ベース部材３６の壁厚方向他方側端部には、付勢部材３９の一端部が連結される連結部３６ｂが設けられている。図例では、被仮保持片部３６ａの上方側に位置するように連結部３６ｂを設けた例を示している。
【００４０】
また、このベース部材３６には、上側補強部材３４に取り付けられる取付部３６ｃが設けられている。この取付部３６ｃは、ベース部材３６の壁厚方向一方側端部の上側部位から壁幅方向内方側に向けて突出するように設けられている。また、この取付部３６ｃは、壁厚方向に厚さ方向を沿わせた薄板状とされ、上側補強部材３４の背面側部位の背面側に沿うようにねじ等の止具によって取り付けられる構成とされている。上側補強部材３４には、この取付部３６ｃを取り付ける止具の雌ねじ穴等の止着部が設けられている。図例では、上側補強部材３４の背面側部位の上端部及び下端部のそれぞれに、他の部位よりも厚さが大となるように背面側に向けて突出するような止着部を設けた例を示している。なお、このような態様に代えて、このベース部材３６を上側補強部材３４に一体的に設けたような態様としてもよい。
【００４１】
また、本実施形態では、このベース部材３６に、後記する連結部材４２の上端部４３が固定される上端固定部３６ｄを設けている。この上端固定部３６ｄは、ベース部材３６の壁厚方向一方側端部の下側部位から壁幅方向内方側に向けて突出するように設けられている。また、この上端固定部３６ｄは、壁厚方向に厚さ方向を沿わせた薄板状とされ、上側補強部材３４の背面側部位の下方側に沿うように設けられている。この上端固定部３６ｄには、連結部材４２の上端部４３を固定するねじ等の止具４５の雌ねじ穴等の止着部が設けられている。なお、このように被保持部３５に上端固定部３６ｄを設けた態様に代えて、上端固定部３６ｄを、上側補強部材３４の背面側部位に直接的にまたは別途に設けたような態様等としてもよい。
【００４２】
ロック部材３７は、連結軸３８との連結部から壁厚方向他方側に向けて延びるように設けられたアーム状のロック片部を備えている。このロック片部の先端部に、上側カバー保持部材２８の係止突片部２８ａに係止される被係止部としての被係止爪片部３７ａが設けられている。
この被係止爪片部３７ａは、ロック片部の先端部に上方に向けて突出するように設けられている。つまり、この被係止爪片部３７ａとベース部材３６の被仮保持片部３６ａとは、互いに異なる側に向けて突出するように設けられている。
【００４３】
また、本実施形態では、この被係止爪片部３７ａに、上側カバー保持部材２８の係止突片部２８ａへの当接に伴い当該ロック部材３７を付勢部材３９の付勢に抗してロック解除方向（係止解除方向）に回動させる傾斜ガイド面部を設けている。このような構成とすれば、カバー本体３１を枠部材１０に保持させるように移動させれば、被係止爪片部３７ａが上側カバー保持部材２８の係止突片部２８ａを乗り越えるようにして移動する。また、さらにカバー本体３１を移動させれば、付勢部材３９の付勢によってロック部材３７がロック（係止）側へ回動し、被係止爪片部３７ａが上側カバー保持部材２８の係止突片部２８ａに係止される。図例では、この被係止爪片部３７ａの傾斜ガイド面部を、壁厚方向他方側に向かうに従い下るように傾斜する傾斜面とした例を示している。
【００４４】
また、ロック部材３７は、連結軸３８との連結部から上方に向けて延びるように設けられたアーム状の解除操作部３７ｃを備えている。
この解除操作部３７ｃは、図４（ａ）及び図７（ｂ）に示すように、カバー本体３１の上端面よりも僅かに上方に突出するように設けられている。換言すれば、図７（ｂ）に示すように、カバー本体３１に手前側から対面した状態で、解除操作部３７ｃの上端部（突出方向先端部）がカバー本体３１の上端面から僅かに露出するような構成としている。
また、この解除操作部３７ｃは、その先端部が上記した枠部材１０の切欠状凹所１４に受け入れられる構成とされている。この解除操作部３７ｃを、カバー本体３１の周縁部と枠部材１０の凹段部１２の段壁面１５との隙間を介して差し入れられた治具によって壁厚方向他方側に向けて押し込むように操作する。これにより、当該ロック部材３７が付勢部材３９の付勢に抗してロック解除方向（係止解除方向）に回動し、上側カバー保持部材２８の係止突片部２８ａとロック部材３７の被係止爪片部３７ａとの係止が解除される。
【００４５】
また、ロック部材３７は、連結軸３８との連結部から下方に向けて突出するように設けられた連結片部の下端部に、付勢部材３９の他端部が連結される連結部３７ｂを設けた構成とされている。
付勢部材３９は、ロック部材３７がロック側へ回動するように、連結片部を壁厚方向他方側となるベース部材３６の連結部３６ｂ側に向けて引っ張るように付勢する引張コイルばねとされている。なお、付勢部材３９としては、引張コイルばねに限られず、他のばね部材を採用するようにしてもよい。この場合は、ロック部材３７やベース部材３６を、必要に応じて適宜、変形するようにしてもよい。また、ベース部材３６の適所には、ロック状態とされたロック部材３７の更なるロック先側への回動を抑止するストッパーが設けられている。
【００４６】
下側補強部材４０は、図３及び図４（ａ）、（ｃ）に示すように、カバー本体３１の下端部の背面に沿うように帯板状に設けられている。この下側補強部材４０の下端部には、カバー本体３１の下端部が嵌め入れられる係合凹溝４０ａを形成するように鉤状片部が設けられている。係合凹溝４０ａは、上方側に向けて開口するように、かつ下側補強部材４０の全長に亘って設けられている。
つまり、上下の補強部材３４，４０には、互いに向き合う方向に開口し、カバー本体３１の上下端部がそれぞれに嵌め入れられる係合凹溝３４ａ，４０ａが設けられている。
また、この下側補強部材４０のカバー本体３１の背面に沿う背面側部位の上下寸法（幅寸法）は、上記同様、カバー本体３１の不透明部３３の幅寸法よりも小さい寸法とされている。また、この下側補強部材４０における、カバー本体３１の下端表面側縁部に引っ掛けられるように設けられた鉤状片部の表面側片部の上下寸法（幅寸法）は、背面側部位の上下寸法よりも小さい寸法とされている。この鉤状片部の表面側片部の上下寸法は、上記同様、カバー本体３１の下端部を安定的に保持する観点や見栄え上の観点等から適宜の寸法としてもよく、数ｍｍ〜数十ｍｍ程度としてもよい。なお、上下の補強部材３４，４０の背面側部位とカバー本体３１の上下端部の背面との間に、適宜、滑り止めシートや緩衝シート等を介在させた態様としてもよい。
【００４７】
また、この下側補強部材４０には、後記する連結部材４２の下端部４４が固定される下端固定部４０ｂが設けられている。この下端固定部４０ｂは、下側補強部材４０の背面側部位の上下方向途中部位に設けられている。この下端固定部４０ｂには、連結部材４２の下端部４４を固定するねじ等の止具４５の雌ねじ穴等の止着部が設けられている。また、図例では、この下端固定部４０ｂを、他の部位よりも厚さが大となるように背面側に向けて突出するような構成とした例を示している。なお、このように下側補強部材４０に直接的に下端固定部４０ｂを設けた態様に代えて、下側補強部材４０に取り付けられる別部材に下端固定部４０ｂを設けた態様等としてもよい。
【００４８】
この下側補強部材４０に設けられた被保持部４１は、カバー本体３１の背面側に位置するように設けられている。
本実施形態では、この被保持部４１及びこれを保持する下側カバー保持部材２９を、下側カバー保持部材２９に対して被保持部４１が概ね壁幅方向に沿う軸４１ａ廻りに回動自在にかつ着脱自在に保持される構成としている。つまり、本実施形態では、カバー本体３１の上端側が、被保持部３５によって解除操作可能に枠部材１０側に保持され、カバー本体３１の下端側が、枠部材１０側に着脱自在に引掛け保持される構成とされている。
【００４９】
また、本実施形態では、被保持部４１を、下側補強部材４０の背面側部位から背面側に向けて突出し、下方に垂れ下がるように設けられたフック状片部とし、その下端部に、概ね壁幅方向に沿う軸としての係合軸状部４１ａを設けた構成としている。この被保持部４１は、下端の係合軸状部４１ａが下側補強部材４０の下端部よりも上側に位置するように設けられている。図例では、この被保持部４１を、下端固定部４０ｂの下側に連なるように設けた例を示している。なお、このように下側補強部材４０に直接的に被保持部４１を全長に亘って設けた態様に代えて、下側補強部材４０に取り付けられる別部材を被保持部４１としてもよい。この場合は、後記する下側カバー保持部材２９に応じた位置や個数の被保持部４１を設けるようにしてもよい。また、被保持部４１の係合軸状部４１ａとしては、周方向の一部がフック状片部の下端部に連なるように設けられたものに限られず、軸方向両端が適宜の連結部等によって被保持部４１に連結保持されたような態様等としてもよい。
【００５０】
下側カバー保持部材２９は、図１（ｂ）及び図４（ｃ）に示すように、枠部材１０の上方側に向く内周面（下側の横枠部１８の上面）に固定される構造とされ、係合軸状部４１ａを受け入れる軸受凹部２９ａを設けた構成とされている。本実施形態では、枠部材１０の上方側に向く内周面における壁幅方向両側端部近傍部位のそれぞれに、互いに同様の構成とされた下側カバー保持部材２９，２９を設けている（図２（ａ）参照）。
これら下側カバー保持部材２９，２９は、枠部材１０の内周面に沿うように固定される薄板状の固定片部の壁厚方向一方側端部に、上方に向けて開口し、壁幅方向に貫通するように軸受凹部２９ａ，２９ａを設けた構成とされている。図例では、下側カバー保持部材２９，２９の固定片部の壁厚方向一方側端部から上方に向けて突出する突片部を壁厚方向に間隔を空けて二箇所に設け、これら突片部間を、軸受凹部２９ａ，２９ａとした例を示している。また、軸受凹部２９ａ，２９ａが壁厚方向で枠部材１０の凹段部１２に位置するように下側カバー保持部材２９，２９を枠部材１０に固定した例を示している。
【００５１】
このような構成とされたカバー装置３０は、カバー本体３１の上端側が手前側となるように傾斜させた状態で、下端側の係合軸状部４１ａを、下側カバー保持部材２９の軸受凹部２９ａに引っ掛けるようにして係合させて保持させる。そして、カバー本体３１を、その上端側を壁厚方向他方側となる奥側に移動させるように係合軸状部４１ａ廻りに回動させ、上端側の被保持部３５の被係止爪片部３７ａを、係止突片部２８ａに係止させて上側カバー保持部材２８に対して保持させるようにしてもよい。
また、カバー装置３０を、枠部材１０から取り外す際には、上端側の被保持部３５の解除操作部３７ｃを治具によって操作して互いの係止を解除させる。そして、カバー本体３１を斜め手前上方に持ち上げるようにして下側カバー保持部材２９の軸受凹部２９ａに対する下端側の係合軸状部４１ａの係合を解除させることで、取り外すことができる。
【００５２】
上下の補強部材３４，４０を連結する連結部材４２は、上端部４３及び下端部４４が上記した上下の補強部材３４，４０のそれぞれに止具４５，４５によって固定される構成とされている。
本実施形態では、図３に示すように、カバー本体３１の壁幅方向における両側端部の不透明部３３，３３の背面側のそれぞれに位置するように対状に連結部材４２，４２を設けた構成としている。
これら一対の連結部材４２，４２は、互いに同様の構成とされており、壁厚方向に厚さ方向を沿わせた薄板状とされている。また、これら一対の連結部材４２，４２は、カバー本体３１の背面との間に僅かな隙間を隔てて背面に沿うように設けられている。
【００５３】
これら一対の連結部材４２，４２の壁幅方向に沿う幅寸法は、カバー本体３１の両側端部の不透明部３３，３３の壁幅方向に沿う幅寸法よりも小さい寸法とされている。つまり、カバー本体３１を手前側から厚さ方向に見て、両側の連結部材４２，４２のそれぞれの全体が両側端部の不透明部３３，３３のそれぞれに覆われる構成とされている。図例では、これら一対の連結部材４２，４２のそれぞれを、カバー本体３１の厚さ方向に見て、それぞれが設けられた側の不透明部３３，３３の壁幅方向略中央部に位置するように設けた例を示している。また、本実施形態では、これら連結部材４２，４２を含み、上記した上下の補強部材３４，４０や被保持部３５，４１を、カバー本体３１の厚さ方向に見て、透明部３２に重なり合わないように設けた構成としている。
【００５４】
これら連結部材４２，４２の上端部４３，４３及び下端部４４，４４には、上下の補強部材３４，４０に設けられた上端固定部３６ｄ及び下端固定部４０ｂに止着される止具４５，４５が挿通される挿通孔が設けられている。これら連結部材４２，４２の上端部４３，４３及び下端部４４，４４のそれぞれを、上下の補強部材３４，４０に固定することで、カバー本体３１に対する上下の補強部材３４，４０の上下方向への移動が抑止される。図例では、上端部４３，４３に、上下方向に間隔を空けて二箇所に止具４５，４５，４５，４５が挿通される構成とし、下端部４４，４４の一箇所に止具４５，４５が挿通される構成とした例を示している。なお、連結部材４２，４２の上端部４３，４３及び下端部４４，４４の挿通孔の両方または一方を、上下方向に長径の長孔としてもよい。
また、連結部材４２，４２としては、壁厚方向に厚さ方向を沿わせた薄板状とされたものに限られず、角柱棒状や丸棒状とされたものや、長手方向に見た断面形状が断面略Ｃ（Ｕ）字状や断面略Ｈ（Ｉ）字状等とされたものとしてもよい。また、これら連結部材４２，４２は、硬質の合成樹脂系材料や金属系材料から形成されたものとしてもよい。
【００５５】
また、カバー装置３０の下端側を保持する下側カバー保持部材２９及びこれに保持される被保持部４１としては、上記したような態様に限られず、上側カバー保持部材２８及びこれに保持される被保持部３５と概ね同様な態様とされたものとしてもよい。
また、枠部材１０側のカバー保持部材２８，２９及びカバー装置３０側の被保持部３５，４１としては、上記したような態様に限られず、種々の変形が可能である。例えば、カバー装置３０側の被保持部３５，４１のうちの一方に解除操作部３７ｃを設けた態様に代えて、枠部材１０側のカバー保持部材２８，２９のうちの一方に解除操作部を設けた態様等としてもよい。
また、これら枠部材１０側のカバー保持部材２８，２９及びカバー装置３０側の被保持部３５，４１並びに上記した柱状体１９及び機器保持部材２０，２４は、硬質の合成樹脂系材料や金属系材料から形成されたものとしてもよい。
【００５６】
次に、上記構成とされた映像表示機器取付装置１を用いた映像表示機器取付構造及びその施工手順の一例について説明する。
まず、図５（ａ）、（ｂ）に示すように、壁下地２，３によって区画された開口部に、枠部材１０を嵌め入れるようにして固定する。
また、図６に示すように、枠部材１０に、上下の機器保持部材２０，２４及び上下のカバー保持部材２８，２９を取り付ける。
そして、図７（ａ）に示すように、背面側に柱状体１９が取り付けられた映像表示機器９を、上述のようにして、上下の機器保持部材２０，２４に保持させる。
そして、図７（ｂ）に示すように、背面側に被保持部３５，４１が設けられたカバー装置３０を、上述のようにして、上下のカバー保持部材２８，２９に保持させる。
【００５７】
また、枠部材１０を囲むように、壁下地２，４の壁厚方向一方側面に一方側壁下地ボード５を固定する。また、壁下地２，４の壁厚方向他方側面に他方側壁下地ボード７を固定する。
そして、これら壁下地ボード５，７の表面５ａ，７ａに、図１及び図２に示すように、表面化粧材６，８を貼着する。本実施形態では、上述のように、一方側壁下地ボード５の表面５ａから枠部材１０の表面１６ａ並びに凹段部１２の段壁面１５及び段底面１３にも一連状に表面化粧材６を貼着した構成としている。
なお、上記施工手順は、一例に過ぎず、各部材の機能を阻害しない限りにおいて別手順で行うようにしてもよい。
また、例えば、枠部材１０の上方側及び下方側のそれぞれに、壁厚方向一方側の壁面において開口し、一対の縦桟２，２間の空間に連通する通気口を設けるようにしてもよい。
【００５８】
本実施形態に係るカバー装置３０及びこれを備えた映像表示機器取付装置１は、上述のような構成としたことで、壁に埋込状に配される映像表示機器９の表面側を見栄え良く覆うことができ、また、保持対象に安定的に保持されることができる。
つまり、少なくとも映像表示機器９の映像表示面に応じた部位が透明なカバー本体３１を備えた構成としている。従って、壁に埋込状に配される映像表示機器９の表面側を見栄え良く覆うことができる。また、このカバー本体３１の上端部及び下端部のそれぞれを挟むように保持する上下の補強部材３４，４０を連結するように設けられ、かつ上下の補強部材３４，４０のそれぞれに止具４５，４５によって固定された連結部材４２を備えた構成としている。従って、ガラスパネルや透明樹脂製パネルからなるカバー本体３１の上端部及び下端部を保護する上下の補強部材３４，４０が脱落するようなことを抑制することができる。また、このようにカバー本体３１に対する脱落が抑制された上下の補強部材３４，４０に、壁側に設けられたカバー保持部材２８，２９に保持される被保持部３５，４１を設けた構成としている。従って、カバー本体自体が止具等によって壁側に保持される構成とされたものと比べて、当該カバー装置３０を安定的に保持対象に対して保持させることができる。
【００５９】
また、本実施形態では、カバー本体３１の四周端部に、不透明部３３を設けている。従って、例えば、カバー本体３１の全体を透明としたものと比べて、映像表示機器９の四周端部とこれを受け入れる開口１１の内周面との隙間や、映像表示機器９を保持する機器保持部材２０，２４等を目立ち難くすることができる。
また、連結部材４２，４２を、カバー本体３１の両側端部の不透明部３３，３３の背面側のそれぞれに位置するように対状に設けている。従って、上下の補強部材３４，４０の両側端部を、一対の連結部材４２，４２によって連結することができ、上下の補強部材３４，４０の脱落をより効果的に抑制することができる。また、これら一対の連結部材４２，４２や、これらが連結される補強部材３４，４０の背面側部位、止具等を、表面側から目立ち難くすることができ、見栄えを向上させることができる。なお、カバー本体３１に不透明部３３を設けた態様に代えて、上下の補強部材３４，４０と両側の連結部材４２，４２とによってカバー本体３１の表面側または背面側に、カバー本体３１の四周端部に沿い、不透明部となる額縁状部材を構成するような態様等としてもよい。
【００６０】
また、本実施形態では、映像表示機器９を受け入れる開口１１を区画し、壁下地２，３に固定される枠部材１０に、映像表示機器９を保持する機器保持部材２０，２４とカバー装置３０を保持するカバー保持部材２８，２９とを設けた構成としている。従って、映像表示機器９を埋込状に壁に配設することができる。また、映像表示機器９及びカバー装置３０を枠部材１０に対して保持させることができるので、大判の壁材自体を取付装置としたようなものと比べて、小型化が図れ、取扱性や施工性を向上させることができる。また、映像表示機器９の表面側を覆うカバー装置３０を枠部材１０から取り外せば、映像表示機器９の保守点検等を行うことができるので、大判の下地ボードを開閉させる必要があるようなものと比べて、メンテナンス性を向上させることもできる。
【００６１】
なお、本実施形態では、本実施形態に係るカバー装置３０を、枠部材１０や機器保持部材２０，２４、カバー保持部材２８，２９を備えた映像表示機器取付装置１に設けた例を示しているが、このような態様に限られない。これら枠部材１０や機器保持部材２０，２４、カバー保持部材２８，２９のうちのいずれかが適宜、施工現場において手配されたものとしてもよい。また、カバー装置３０を保持するカバー保持部材２８，２９としては、枠部材１０に設けられるものに限られず、壁側の他の部位に設けられるものとしてもよい。
【符号の説明】
【００６２】
１      映像表示機器取付装置
１０    枠部材
１１    開口
２０    上側機器保持部材（機器保持部材）
２４    下側機器保持部材（機器保持部材）
２８    上側カバー保持部材（カバー保持部材）
２９    下側カバー保持部材（カバー保持部材）
３０    カバー装置
３１    カバー本体
３３    不透明部
３４    上側補強部材
３５    被保持部
４０    下側補強部材
４１    被保持部
４２    連結部材
４３    上端部
４４    下端部
２      縦桟（壁下地）
３      横桟（壁下地）
４      中間縦桟（壁下地）
９      映像表示機器
４５    止具
【図１】
0006504493.tif 000002
【図２】
0006504493.tif 000003
【図３】
0006504493.tif 000004
【図４】
0006504493.tif 000005
【図５】
0006504493.tif 000006
【図６】
0006504493.tif 000007
【図７】
0006504493.tif 000008